(57)【要約】【課題】王冠およびねじ付きキャップの双方を開けることが可能な栓抜きを提供する。【解決手段】栓抜きは、ハンドル、磁石および締め付けバンドを備える。ハンドルは、前端、後端、頂面、底面、両側およびフックを有する。フックは、ハンドルの前端に形成されており、底面に向けて曲がり、人が王冠を取り外すことを可能にする。磁石は、ハンドルに設けられており、王冠が落下することを防止する。締め付けバンドは、弾力があり、ハンドルに接続され、内面、外面、および締め付けバンドを貫通して軸方向に形成された中央穴を有する。締め付けバンド付き栓抜きは、人が直接的な接触をせずにねじ付きキャップを取り外すことを可能にする。したがって、人の手が、不注意によってねじ付きキャップの鋭利な部分やエッジで傷つくことはない。【選択図】図１
0003133637.tif 000002
【実用新案登録請求の範囲】
【請求項１】
前端、後端、頂面、底面、両側、および前記前端に形成され前記底面に向けて曲がるフックを有するハンドルと、
該ハンドルに設けられた磁石と、
弾性があり、輪になった、前記ハンドルに接続された締め付けバンドであって前記ハンドルに取り付けられた両端、内面、外面、および前記締め付けバンドを貫通して軸方向に形成された中央穴を備える締め付けバンドとを含む、栓抜き。
【請求項２】
さらに、前記ハンドルに設けられ該ハンドルの前記後端から選択的に伸長する伸長アームを含む、請求項１に記載の栓抜き。
【請求項３】
前記ハンドルは、さらに前記底面に形成され、内方底面、前方内面および後方内面を有する取付け凹所を備え、前記磁石は前記取付け凹所に設けられ、前記締め付けバンドの前記両端は前記取付け凹所に設けられている、請求項１に記載の栓抜き。
【請求項４】
前記締め付けバンドは、さらに該締め付けバンドの前記内面に複数の高摩擦リブを備える、請求項１に記載の栓抜き。
【請求項５】
前記締め付けバンドは、さらに該締め付けバンドの前記外面に複数の高摩擦リブを備える、請求項１に記載の栓抜き。
【請求項６】
キーホールダマウントが前記ハンドルの前記底面に形成され、前記キーホールダマウントは、該キーホールダマウントを貫通して形成された貫通穴を有する、請求項１に記載の栓抜き。
【請求項７】
キーホールダは環状であり、該キーホールダが前記キーホールダマウントを貫通して取付けられている、請求項１に記載の栓抜き。
【請求項８】
前記伸長アームは、
前端と、
後端と、
両側と、
前記伸長アームの前記前端に形成された取付けブラケットであって該取付けブラケットを貫通して長手方向に形成された取付け穴を有し前記ハンドルを取り巻いて摺動可能に設けられた取付けブラケットと、
Ｌ形状を有する２つの摺動保持具であって前記伸長アームの両側のそれぞれに該両側から突出して形成され、また前記ハンドルの前記両側に摺動可能に該両側を保持して設けられる摺動保持具とを備える、請求項２に記載の栓抜き。
【請求項９】
前記取付け凹所は、さらに、該取付け凹所の前記後方内面に形成されかつ該内面から突出するバンド台を有し、前記締め付けバンドは、さらに、前記締め付けバンドの前記両端のそれぞれを貫通して設けられ前記締め付けバンドの前記両端を前記バンド台が保持するように該バンド台を取り巻いて設けられた２つの取付け穴を有する、請求項３に記載の栓抜き。
【請求項１０】
前記取付け凹所は、さらに、該取付け凹所の前記前方内面に形成され該内面から突出し、前記磁石を押し付けて保持する磁石ホールダを有する、請求項３に記載の栓抜き。
【考案の詳細な説明】
【技術分野】
【０００１】
本考案は、栓抜きに関し、より具体的には、王冠およびねじ付きキャップの双方を開くことができる栓抜きに関する。
【背景技術】
【０００２】
コーラやビールなどの飲料は、キャップで瓶詰することができる。瓶は頂部を有する。前記頂部は外縁を有する。前記キャップは、ねじ付きキャップまたは王冠であるかもしれない。ねじ付きキャップは、ねじ付き瓶の頂部にねじ止めされる。王冠は、冠付き瓶の頂部でその外縁に圧入される。
【０００３】
瓶から王冠を取り外すために、人は栓抜きを用いる。栓抜きは、一端にフックを有するハンドルを備える。しかしながら、前記栓抜きは、ねじ付きキャップを取り外すことができない。時折、人手だけでは、ねじ付きキャップを取り外すための良好な把持を得るに充分な摩擦を提供し得ない。さらに、ねじ付きキャップは、人がねじ付きキャップを外している間に、その手を切りあるいは突き刺すことが可能な鋭利な部分やエッジを有することがある。
【０００４】
本考案は、前記欠点を克服すべく、前記した問題を和らげ、あるいは除去する栓抜きを提供する。
【考案の開示】
【考案が解決しようとする課題】
【０００５】
本考案の主たる目的は、王冠およびねじ付きキャップの双方を開けることが可能な栓抜きを提供することにある。
【課題を解決するための手段】
【０００６】
栓抜きは、ハンドル、磁石および締め付けバンドを備える。前記ハンドルは、前端、後端、頂面、底面、両側およびフックを有する。前記フックは、前記ハンドルの前記前端に形成されており、前記底面に向けて曲がり、人が王冠を取り外すことを可能にする。前記磁石は、前記フックの近くで前記ハンドルに設けられる。前記締め付けバンドは、弾力があり、前記ハンドルに接続されており、内面、外面、および締め付けバンドを貫通して軸方向に形成された中央穴を有する。締め付けバンド付きの前記栓抜きは、人が直接的な接触をせずにねじ付きキャップを取り外すことを可能にする。したがって、人の手が、不注意によってねじ付きキャップの鋭利な部分やエッジで傷つくことはない。
【０００７】
本考案の他の目的、利点および新規な特徴は、ここに添付の図面に関連しての以下の詳細な説明から、より明白になるであろう。
【考案を実施するための最良の形態】
【０００８】
本考案は、飲料瓶を開けるために用いられる。飲料瓶は、頂部およびキャップを有し、ねじ付き瓶（８０）または王冠でふたを被せられる瓶（９０）である。前記キャップは、側面および下縁を備える。前記キャップの側面は、内面、外面および下端を有する。前記キャップは、ねじ付きキャップ（８１）または王冠（９１）である。ねじ付きキャップ（８１）は、前記瓶を閉じるためにねじ付き瓶（８０）の頂部でそのねじ山と係合する側部の内面のまわりに、ねじ山を有する。王冠（９１）は、複数の歯を有する。前記歯は、前記瓶を閉じるために、王冠でふたを被せられる瓶（９０）の頂部の突縁に当接している。
【０００９】
図１、２、３および７を参照するに、本考案に係る栓抜きは、ハンドル（１０）、磁石（２０）、締め付けバンド（３０）および伸長アーム（４０）を含む。
【００１０】
さらに図６を参照するに、ハンドル（１０）は、前端、後端、頂面、底面、両側、フック（１１）、取付け凹所（１２）、キーホールダマウント（１３）およびキーホールダ（１５）を有する。
【００１１】
フック（１１）は、ハンドル（１０）の前記前端に形成されており、前記底面に向けて曲がる。フック（１１）は、王冠（９１）の前記下縁に係合する。ハンドル（１０）の前記後端を押すと、フック（１１）は、王冠（９１）を持ち上げて取り外す。
【００１２】
取付け凹所（１２）は、ハンドル（１０）の前記底面に形成されている。取付け凹所（１２）は、内方底面、前方内面、後方内面、磁石ホールダ（１２１）およびバンド台（１２３）を有する。磁石ホールダ（１２１）は、取付け凹所（１２）に形成され、該取付け凹所の前記前方内面から突出する。
【００１３】
バンド台（１２３）は前記後方内面に形成されており、該後方内面から突出する。
【００１４】
キーホールダマウント（１３）は、ハンドル（１０）前記底面に形成されており、キーホールダーマウント（１３）を貫通して形成された貫通穴を有する。
【００１５】
キーホールダ（１５）は環状であり、キーホールダマウント（１３）を貫通して取り付けられており、キー、キーチェイン、キャリーストラップ等の穴でその物品に接続することができる。
【００１６】
磁石（２０）は、フック（１１）の近傍でハンドル（１０）に接続されており、磁石ホールダ（１２１）と取付け凹所（１２）の前記内方底面との間で該凹所に設けられており、磁石ホールダ（１２１）に押し付けられて該ホールダによって保持されている。前記磁石は、取り外された王冠（９１）が地面に落下することを防止するために、該王冠（９１）を保持する。
【００１７】
さらに、図４および５を参照するに、締め付けバンド（３０）は弾力があり、輪になっており、細長い帯で形成されている。締め付けバンド（３０）は、フック（１１）の近傍でハンドル（１０）に接続されており、両端、２つの取り付け穴（３１）、内面、外面、複数の高摩擦リブ（３３）の内側セット、複数の高摩擦リブ（３３）の外側セットおよび中央穴を有する。
【００１８】
締め付けバンド（３０）の両端は、ハンドル（１０）に取付けられ、好ましくは、ハンドル（１０）の取付け凹所（１２１）に取付けられている。
【００１９】
取り付け穴（３１）は、締め付けバンド（３０）の両端のそれぞれを貫通して形成されており、バンド台（１２３）が締め付けバンド（３０）の両端を保持するように、バンド台（１２３）を取り巻いて設けられている。
【００２０】
リブ（３３）の内側および外側の各セットは、その内方および外方の両面にそれぞれ成形されている。
【００２１】
前記中央穴は、締め付けバンド（３０）を貫通して軸方向に形成されており、ねじ付き瓶（８０）を開けるために、ねじ付きキャップ（８１）を取り巻いて設置することができる。
【００２２】
瓶（８０）のねじ付きキャップ（８１）を取り外すのに用いられるとき、締め付けバンド（３０）は、ねじ付きキャップ（８１）を取り巻いて設置される。前記中央穴を狭め、締め付けバンド（３０）の前記内面をねじ付きキャップ（８１）の前記外面に強く押し付けるために、人は指で締め付けバンド（３０）を挟み込む。次に、人は、ねじ付きキャップ（８１）を外すために、締め付けバンド（３０）を回転する。
【００２３】
伸長アーム（４０）は、ハンドル（１０）に設置されており、王冠（９１）の取り外しを容易とすべく、回転トルクの増大のためにハンドル（１０）の後端から選択的に伸長する。伸長アーム（４０）は、前端、後端、両側、取付けブラケット（４１）および２つの摺動保持具（４２）を有する。
【００２４】
取付けブラケット（４１）は、伸長アーム（４０）の前記前端に形成されており、取り付け穴（４１１）を有する。取り付け穴（４１１）は、取付けブラケット（４１）を貫通して長手方向に形成されており、ハンドル（１０）を取り巻いて摺動可能に設けられている。
【００２５】
スライド保持具（４２）は、横断面がＬ字形である。スライド保持具（４２）は、伸長アーム（４０）の前記両側のそれぞれに形成されかつ該両側から突出して形成されており、ハンドル（１０）の前記両側に摺動可能に取り付けられ、該両側を保持する。
【００２６】
締め付けバンド（３０）付きの前記栓抜きは、人が、ねじ付きキャップ（８１）の鋭利な部分やエッジが不注意で彼らの手を切ることがないように、ねじ付きキャップ（８１）に直接に接触することなくねじ付きキャップ（８１）を取り外すことを可能にする。締め付けバンド（３０）は、該締め付けバンドのねじ付きキャップ（８１）に関する滑りを防止するために、ねじ付きキャップ（８１）に強く押し付けられる。さらに、伸長アーム（４０）は、王冠（９１）の取り外し作業を従来の栓抜きに比べてより容易にする。
【図面の簡単な説明】
【００２７】
【図１】本考案に係る栓抜きの第１の実施例の斜視図である。
【図２】図１に示した栓抜きの分解斜視図である。
【図３】伸長アームがハンドルの後部から外方に伸長している状態の図１の栓抜きの使用中の斜視図である。
【図４】図３に示された栓抜きの使用中の横断面図である。
【図５】ねじ付きキャップを取り外すために、図１に示された締め付けバンドがねじ付きキャップを取り巻くように、これを保持して回転させる使用者の使用中の平面図である。
【図６】図１の栓抜きのフックを瓶の王冠の下縁に係合させて該王冠を開けている使用者の使用中の側面図である。
【図７】本考案に係る栓抜きの、伸長アーム、キーホールダマウントおよびキーホールダを実装しない、第２の実施例の斜視図である。
【符号の説明】
【００２８】
１０  ハンドル
１１  フック
１２  取付け凹所
１３  キーホールダマウント
１５  キーホールダ
２０  磁石
３０  締め付けバンド
３３  リブ
４０  伸長アーム
１２１  磁石ホールダ
１２３  バンド台
８０、９０  瓶
８１  ねじ付きキャップ
９１  王冠
【図１】
0003133637.tif 000003
【図２】
0003133637.tif 000004
【図３】
0003133637.tif 000005
【図４】
0003133637.tif 000006
【図５】
0003133637.tif 000007
【図６】
0003133637.tif 000008
【図７】
0003133637.tif 000009